(57)【要約】  本発明は、立体映像表示装置及び立体映像観察用メガネに関する。上記立体映像表示装置またはメガネによれば、立体映像の観察時に左眼用信号と右眼用信号の光特性の差を最小化し、いわゆるクロストーク現象などの悪影響なしに高品質の立体映像を観察することができる。【選択図】図９
2014509402.tif 000002
【特許請求の範囲】
【請求項１】
左眼用領域及び右眼用領域を有し、前記左眼用領域及び前記右眼用領域がそれぞれ位相差層及び偏光子を含むメガネを着用して立体映像を観察する装置であり、
駆動状態で左眼用信号及び右眼用信号をそれぞれ生成することができる左眼用信号生成領域及び右眼用信号生成領域を含む表示素子と、前記表示素子で生成された左眼用信号及び右眼用信号が入射され得るように配置された第１偏光板と、前記左眼用信号生成領域及び前記右眼用信号生成領域で生成された左眼用信号及び右眼用信号が前記第１偏光板を経てそれぞれ入射され得るように配置されており、位相差層をそれぞれ含む左眼用信号偏光調節領域及び右眼用信号偏光調節領域を含むフィルタと、を含み、下記一般式１または一般式２の条件を満たす立体映像表示装置。
［一般式１］
ＤＬ＝｜θ２−θＬ｜≦１５．０
［一般式２］
ＤＲ＝｜θ１−θＲ｜≦１５．０
上記一般式１及び一般式２で前記ＤＬは、前記左眼用信号偏光調節領域の位相差層の光軸と前記左眼用領域の位相差層の光軸の相対的離脱程度であり、ＤＲは、前記右眼用信号偏光調節領域の位相差層の光軸と前記右眼用領域の位相差層の光軸の相対的離脱程度であり、θ２は、前記左眼用信号偏光調節領域の位相差層の光軸が前記第１偏光板の吸収軸と成す角度であり、θＬは、前記メガネの前記左眼用領域の偏光子の吸収軸を前記第１偏光板の吸収軸と垂直になるように配置した状態で前記左眼用領域の位相差層の光軸と前記第１偏光板の吸収軸が成す角度であり、θ１は、前記右眼用信号偏光調節領域の位相差層の光軸が前記第１偏光板の吸収軸と成す角度であり、θＲは、前記メガネの右眼用領域の偏光子の吸収軸を前記第１偏光板の吸収軸と垂直になるように配置した状態で前記右眼用領域の位相差層の光軸と前記第１偏光板の吸収軸が成す角度である。
【請求項２】
前記左眼用信号偏光調節領域の位相差層と前記右眼用信号偏光調節領域の位相差層は、互いに異なる方向に形成された光軸を有し、互いに異なる方向に形成された前記光軸を二等分する線は、前記第１偏光板の吸収軸と垂直または水平を成す、請求項１に記載の立体映像表示装置。
【請求項３】
前記左眼用領域の偏光子と前記右眼用領域の偏光子は、互いに同一の方向に形成された吸収軸を有する、請求項１又は２に記載の立体映像表示装置。
【請求項４】
前記左眼用領域及び前記右眼用領域の中心を連結する仮想の線を前記左眼用信号偏光調節領域及び前記右眼用信号偏光調節領域の境界と垂直を成すように配置した状態で前記左眼用領域及び前記右眼用領域の偏光子の吸収軸は、前記第１偏光板の吸収軸と垂直を成す、請求項３に記載の立体映像表示装置。
【請求項５】
前記ＤＬ及び前記ＤＲは、０ではない、請求項１から４のいずれか一項に記載の立体映像表示装置。
【請求項６】
前記一般式１及び前記一般式２の条件をすべて満たす、請求項１から５のいずれか一項に記載の立体映像表示装置。
【請求項７】
前記左眼用信号偏光調節領域及び前記右眼用信号偏光調節領域の位相差層は、それぞれ１００ｎｍ〜２００ｎｍの位相差を有する、請求項１から６のいずれか一項に記載の立体映像表示装置。
【請求項８】
前記左眼用信号偏光調節領域の位相差層の位相差と前記左眼用領域の位相差層の位相差の差が、−１５ｎｍ〜１５ｎｍである、請求項７に記載の立体映像表示装置。
【請求項９】
前記右眼用信号偏光調節領域の位相差層の位相差と前記右眼用領域の位相差層の位相差の差が、−１５ｎｍ〜１５ｎｍである、請求項３に記載の立体映像表示装置。
【請求項１０】
左眼用領域及び右眼用領域を有し、前記左眼用領域及び前記右眼用領域がそれぞれ位相差層及び偏光子を含むメガネを着用して立体映像を観察する装置であり、
駆動状態で左眼用信号及び右眼用信号をそれぞれ生成することができる左眼用信号生成領域及び右眼用信号生成領域を含む表示素子と、前記表示素子で生成された左眼用信号及び右眼用信号が入射され得るように配置された第１偏光板と、前記左眼用信号生成領域及び前記右眼用信号生成領域で生成された左眼用信号及び右眼用信号が前記第１偏光板を経てそれぞれ入射され得るように配置されており、位相差層をそれぞれ含む左眼用信号偏光調節領域及び右眼用信号偏光調節領域を含むフィルタと、を含み、下記一般式３または一般式４の条件を満たす立体映像表示装置。
［一般式３］
ＤＬ−１０≦−０．０１９９ｘ２＋４．９７７７ｘ−３０６．５６≦ＤＬ＋１０
［一般式４］
ＤＲ−１０≦−０．０１９９ｙ２＋４．９７７７ｙ−３０６．５６≦ＤＲ＋１０
上記一般式３及び一般式４で前記ＤＬ及び前記ＤＲは、それぞれ請求項１で定義した通りであり、ｘは、前記左眼用信号偏光調節領域または前記左眼用領域の位相差層の位相差値であり、ｙは、前記右眼用信号偏光調節領域または前記右眼用領域の位相差層の位相差値である。
【請求項１１】
駆動状態で左眼用信号及び右眼用信号をそれぞれ生成することができる左眼用信号生成領域及び右眼用信号生成領域を含む表示素子と、前記表示素子で生成された左眼用信号及び右眼用信号が入射され得るように配置された第１偏光板と、前記左眼用信号生成領域及び前記右眼用信号生成領域で生成された左眼用信号及び右眼用信号が前記第１偏光板を経てそれぞれ入射され得るように配置されており、位相差層をそれぞれ含む左眼用信号偏光調節領域及び右眼用信号偏光調節領域を含むフィルタと、を含む立体映像表示装置から出射される立体映像を観察するためのメガネであり、
左眼用領域及び右眼用領域を有し、前記左眼用領域及び右眼用領域がそれぞれ位相差層及び偏光子を含み、下記一般式１または一般式２の条件を満たすメガネ。
［一般式１］
ＤＬ＝｜θ２−θＬ｜≦１５．０
［一般式２］
ＤＲ＝｜θ１−θＲ｜≦１５．０
上記一般式１及び２で前記ＤＬは、前記左眼用信号偏光調節領域の位相差層の光軸と前記左眼用領域の位相差層の光軸の相対的離脱程度であり、ＤＲは、前記右眼用信号偏光調節領域の位相差層の光軸と前記右眼用領域の位相差層の光軸の相対的離脱程度であり、θ２は、前記左眼用信号偏光調節領域の位相差層の光軸が前記第１偏光板の吸収軸と成す角度であり、θＬは、前記メガネの前記左眼用領域の偏光子の吸収軸を前記第１偏光板の吸収軸と垂直になるように配置した状態で前記左眼用領域の位相差層の光軸と前記第１偏光板の吸収軸が成す角度であり、θ１は、前記右眼用信号偏光調節領域の位相差層の光軸が前記第１偏光板の吸収軸と成す角度であり、θＲは、前記メガネの前記右眼用領域の偏光子の吸収軸を前記第１偏光板の吸収軸と垂直になるように配置した状態で前記右眼用領域の位相差層の光軸と前記第１偏光板の吸収軸が成す角度である。
【請求項１２】
前記左眼用領域及び前記右眼用領域の偏光子は、互いに同一の方向に形成された吸収軸を有する、請求項１１に記載のメガネ。
【請求項１３】
前記左眼用領域及び前記右眼用領域の中心を連結する仮想の線を前記左眼用信号偏光調節領域及び前記右眼用信号偏光調節領域の境界と垂直を成すように配置した状態で前記左眼用領域及び前記右眼用領域の偏光子の吸収軸は、前記第１偏光板の吸収軸と垂直を成す、請求項１１又は１２に記載のメガネ。
【請求項１４】
前記ＤＬ及び前記ＤＲは、０ではない、請求項１１から１３のいずれか一項に記載のメガネ。
【請求項１５】
駆動状態で左眼用信号及び右眼用信号をそれぞれ生成することができる左眼用信号生成領域及び右眼用信号生成領域を含む表示素子と、前記表示素子で生成された左眼用信号及び右眼用信号が入射され得るように配置された第１偏光板と、前記左眼用信号生成領域及び前記右眼用信号生成領域で生成された左眼用信号及び右眼用信号が前記第１偏光板を経てそれぞれ入射され得るように配置されており、位相差層をそれぞれ含む左眼用信号偏光調節領域及び右眼用信号偏光調節領域を含むフィルタと、を含む立体映像表示装置から出射される立体映像を観察するためのメガネであり、
左眼用領域及び右眼用領域を有し、前記左眼用領域及び右眼用領域がそれぞれ位相差層及び偏光子を含み、下記一般式３または一般式４の条件を満たすメガネ。
［一般式３］
ＤＬ−１０≦−０．０１９９ｘ２＋４．９７７７ｘ−３０６．５６≦ＤＬ＋１０
［一般式４］
ＤＲ−１０≦−０．０１９９ｙ２＋４．９７７７ｙ−３０６．５６≦ＤＲ＋１０
上記一般式３及び一般式４で前記ＤＬ及び前記ＤＲは、それぞれ請求項１１で定義した通りであり、ｘは、前記左眼用信号偏光調節領域または前記左眼用領域の位相差層の位相差値であり、ｙは、前記右眼用信号偏光調節領域または前記右眼用領域の位相差層の位相差値である。
【発明の詳細な説明】
【技術分野】
【０００１】
本発明は、立体映像表示装置及び立体映像観察用メガネに関する。
【背景技術】
【０００２】
立体映像表示装置（Ａｓｔｅｒｅｏｓｃｏｐｉｃ  ｉｍａｇｅ  ｄｉｓｐｌａｙ  ｄｅｖｉｃｅ）は、３次元情報を観察者に伝達することができる表示装置である。
立体映像を表示する方式は、大きく、メガネ方式と無メガネ方式とに区分することができる。上記でメガネ方式は、さらに、偏光メガネ方式とＬＣシャッターメガネ（ＬＣ  ｓｈｕｔｔｅｒｇｌａｓｓ）方式とに分類されることができ、無メガネ方式は、さらに、２眼式／多視点両眼視差方式、体積型方式またはホログラフィック方式などに分類されることができる。
【発明の概要】
【発明が解決しようとする課題】
【０００３】
本発明は、立体映像表示装置及び立体映像観察用メガネを提供する。
【課題を解決するための手段】
【０００４】
本発明の例示的な立体映像表示装置は、立体映像観察用メガネを着用し、立体映像を観察する装置であることができる。上記装置は、表示素子、第１偏光板及びフィルタを含むことができる。上記表示素子、第１偏光板及びフィルタは、表示素子で生成された信号が第１偏光板を経てフィルタに入射された後、さらにフィルタを経てメガネを着用している観察者に伝達され得るように順に配置されていてもよい。
【０００５】
本明細書において角度を定義しながら使用する数値や「垂直」、「水平」、「直交」または「平行」のような用語は、それぞれ目的効果を損傷させない範囲内で実質的な上記数値、または実質的な垂直、水平、直交または平行を意味することができる。上記各用語は、例えば、製造誤差（ｅｒｒｏｒ）または偏差（ｖａｒｉａｔｉｏｎ）などを勘案したものである。したがって、例えば、上記それぞれは、約±１５度以内の誤差、約±１０度以内の誤差または約±５度以内の誤差を含むことができる。
【０００６】
また、本明細書において、長さ、幅、厚さまたはピッチなどを定義するか、それらの関係を説明しながら使用する用語「同一」は、目的する効果を損傷させない範囲での実質的同一を意味することができる。例えば、上記用語は、製造誤差または偏差などを勘案したものである。例えば、上記用語「同一」は、約±６０μｍ以内の誤差、約±４０μｍ以内の誤差または約±２０μｍ以内の誤差を含むことができる。
【０００７】
また、本明細書において用語「観察者方向」または「信号が伝達される方向」は、駆動状態において、表示素子で生成された信号が観察者に進行する方向を意味する。例えば、上記方向は、図１に矢印で表示された方向を意味する。
【０００８】
また、本明細書において用語「駆動状態」または「立体映像の表示状態」は、上記立体映像表示装置が駆動中の状態であって、立体映像を観察者に表示している状態を意味する。
【０００９】
図１は、立体映像表示装置を例示的に示す図である。図１に示された矢印は、装置から信号が伝達される方向であり、観察者１０６は、上記メガネを着用し、立体映像を観察することができる。
【００１０】
図１の立体映像表示装置１０は、表示素子１０３と第１偏光板１０４を含み、表示素子１０３から伝達されて第１偏光板１０４を透過した信号がさらに入射されるフィルタ１０５を含んでいる。
【００１１】
図１に示されたように、上記装置１０は、表示素子１０３の第１偏光板１０４とは反対側に順に配置された第２偏光板１０２及び光源１０１をさらに含むことができる。
【００１２】
上記装置１０に含まれる第１及び第２偏光板１０２、１０４は、透過軸及び上記透過軸に直交する吸収軸が形成されている光学素子であり、光が入射されれば、それらのうち透過軸方向と平行な偏光軸を有する信号のみを透過させることができる。
【００１３】
１つの例示において装置１０に含まれる第１及び第２偏光板１０２、１０４は、それぞれ吸収軸と透過軸を有する光学素子であり、第１偏光板１０４の吸収軸と第２偏光板１０２の吸収軸は、互いに垂直を成すように配置され、装置に含まれることができる。このような場合、第１及び第２偏光板１０２、１０４の透過軸は、互いに垂直を成していてもよい。
【００１４】
光源１０１としては、例えば、ＬＣＤ（Ｌｉｑｕｉｄ  Ｃｒｙｓｔａｌ  Ｄｉｓｐｌａｙ）において通常的に使用された直下型（ｄｉｒｅｃｔ  ｔｙｐｅ）またはエッジ型（ｅｄｇｅ  ｔｙｐｅ）のバックライトユニット（ＢＬＵ；Ｂａｃｋ  Ｌｉｇｈｔ  Ｕｎｉｔ）が使用されることができる。光源１０１としては、上記以外にも多様な種類が制限なしに使用されることができる。
【００１５】
表示素子（例えば、図１の１０３）は、駆動状態で左眼用信号（以下、「Ｌ信号」という）を生成することができる左眼用信号生成領域（以下、「ＬＳ領域」という）と、右眼用信号（以下、「Ｒ信号」という）を生成することができる右眼用信号生成領域（以下、「ＲＳ領域」という）とを含む。
【００１６】
このような表示素子としては、例えば、２枚の基板の間に液晶層を介在させた透過型液晶表示パネルが使用されることができる。このような類型のパネルは、例えば、光源１０１側から順次に配置された第１基板、画素電極、第１配向膜、液晶層、第２配向膜、共通電極及び第２基板を含むことができる。光源１０１側の基板には、例えば、透明画素電極に電気的に接続された駆動素子としてＴＦＴ（Ｔｈｉｎ  Ｆｉｌｍ  Ｔｒａｎｓｉｓｔｏｒ）と配線などを含むアクティブ型駆動回路が形成されていてもよい。上記で画素電極は、例えばＩＴＯ（Ｉｎｄｉｕｍ  Ｔｉｎ  Ｏｘｉｄｅ）を含み、画素別の電極として機能することができる。また、第１または第２配向膜は、例えば、ポリイミドなどの材料を含むことができる。液晶層は、例えば、ＶＡ（Ｖｅｒｔｉｃａｌ  Ａｌｉｇｎｍｅｎｔ）、ＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）またはＩＰＳ（Ｉｎ  Ｐｌａｎｅ  Ｓｗｉｔｃｈｉｎｇ）モードの液晶を含むことができる。液晶層は、駆動回路から印加される電圧によって、光源１０１からの光を画素別に透過または遮断する機能を有することができる。共通電極は、例えばＩＴＯを含み、共通の対向電極として機能することができる。
【００１７】
表示素子１０３には、駆動状態でＬ信号またはＲ信号を生成することができる領域であって、１つ以上の画素（ｐｉｘｅｌ）を含むＬＳ及びＲＳ領域が形成されていてもよい。画素は、例えば、それぞれ配向膜の間に密封された液晶を含む単位画素または２個以上の単位画素が組合されて上記各領域を形成していてもよい。上記ＬＳ及びＲＳ領域は、行及び／または列方向に配置されていてもよい。
【００１８】
図２は、例示的なＲＳ及びＬＳ領域の配置を示す図である。図２のように、ＲＳ及びＬＳ領域は、共通方向に延長するストライプ形状を有し、隣接して交互に配置されていてもよい。図３は、他の例示的な配置を示し、ＲＳ及びＬＳ領域が格子パターンで互いに隣接して交互に配置されている。ＲＳ及びＬＳ領域の配置は、図２及び図３の配置に限定されるものではなく、この分野で知られている多様なデザインがすべて適用されることができる。
【００１９】
表示素子は、駆動状態で信号によってそれぞれの領域での画素を駆動することによって、Ｒ及びＬ信号を含む信号を生成し、生成された信号を観察者側に伝達することができる。
【００２０】
例えば、図１を参照すれば、光源１０１から出射した光が第２偏光板１０２に入射すれば、上記偏光板１０２は、その偏光板１０２の透過軸と平行に偏光された光のみを透過させ、このように透過された光は、表示素子１０３に入射する。表示素子１０３に入射し、ＲＳ領域を透過した光は、Ｒ信号となり、ＬＳ領域を透過した光は、Ｌ信号となることができる。
【００２１】
第１偏光板１０４は、Ｒ及びＬ信号を含む信号が入射すれば、その偏光板１０４の透過軸と平行に偏光された光のみを透過させることができる。
【００２２】
フィルタ１０５は、図１のように、第１偏光板１０４の表示素子１０３側とは反対側方向に配置されることができる。このように表示素子１０３で生成され、第１偏光板１０４を透過した信号は、フィルタ１０５を透過し、観察者１０６に伝達されることができる。
【００２３】
フィルタ１０５には、例えば、表示素子１０３から伝達される信号のうちＲ信号が入射され得るように配置されている右眼用信号偏光調節領域（以下、「ＲＣ領域」という）と、Ｌ信号が入射され得るように配置されている左眼用信号偏光調節領域（以下、「ＬＣ領域」という）とを含むことができる。
【００２４】
上記ＬＣ及びＲＣ領域は、それぞれ位相差層を含むことができる。１つの例示においてＬＣ領域は、第１方向に光軸が形成されている位相差層を含み、ＲＣ領域は、第１方向とは異なる第２方向に光軸が形成されている位相差層を含むことができる。本明細書において用語「光軸」は、光が当該領域を透過する過程での遅相軸（ｓｌｏｗ  ａｘｉｓ）または進相軸（ｆａｓｔ  ａｘｉｓ）を意味することができ、特に別途規定しない限り、遅相軸を意味することができる。
【００２５】
１つの例示においてフィルタ１０５のＲＣ領域は、駆動状態においてＲＳ領域で生成及び伝達されるＲ信号が入射され得るようにＲＳ領域の対応位置にＲＳ領域と対応するサイズで配置されていてもよく、ＬＳ領域は、ＬＳ領域で生成及び伝達されるＬ信号が入射され得るようにＬＳ領域の対応位置にＬＳ領域と対応するサイズで配置されていてもよい。
【００２６】
上記でＲＳまたはＬＳ領域に対応する位置に対応するサイズでＲＣまたはＬＣ領域が形成されるというのは、ＲＳ領域で生成されたＲ信号がＲＣ領域に入射することができ、ＬＳ領域で生成されたＬ信号がＬＣ領域に入射することができる位置及びサイズを意味するものであり、必ず両方が同一の位置に同一のサイズに形成されなければならないことを意味するものではない。
【００２７】
ＲＣ及びＬＣ領域は、例えば、表示素子のＲＳ及びＬＳ領域の配置に対応して共通方向に延長するストライプ形状に形成され、また、互いに隣接して交互に配置されているか、あるいは格子パターンで互いに隣接して交互に配置されていてもよい。例えば、ＲＳ及びＬＳ領域が図２のように配置されている場合、ＲＣ及びＬＣ領域は、図４のような形態に配置されていてもよく、ＲＳ及びＬＳ領域が図３のように配置されている場合、ＲＣ及びＬＣ領域は、図５のような形態に配置されていてもよい。
【００２８】
駆動状態でＲＣ領域を透過した信号とＬＣ領域を透過した信号は、互いに異なる偏光状態を有することができる。
【００２９】
例えば、ＲＣ領域を透過した信号とＬＣ領域を透過した信号のうちいずれか一方は、左円偏光された信号であり、他方は、右円偏光された信号であることができる。例えば、表示素子で生成されたＲ信号は、第１偏光板を経てＲＣ領域に入射した後、左円偏光または右円偏光された状態に出射され、また、Ｌ信号は、第１偏光板を経てＬＣ領域に入射した後、上記Ｒ信号とは偏光軸の回転方向が逆方向になるように右円偏光または左円偏光された状態に出射されることができる。
【００３０】
左円及び右円偏光された信号を排出することができるフィルタとしては、上記ＲＣ及びＬＣ領域に含まれる位相差層がλ／４波長層である場合が例示されることができる。互いに逆方向に回転する円偏光された光を生成するために、上記ＲＣ領域に配置されたλ／４波長層の光軸と上記ＬＣ領域に配置されたλ／４波長層の光軸は、互いに異なるように形成されていてもよい。１つの例示において上記ＲＣ領域は、上記位相差層として第１方向に光軸を有するλ／４波長層を含み、上記ＬＣ領域は、上記位相差層として上記第１方向とは異なる第２方向に光軸を有するλ／４波長層を含むことができる。本明細書において用語「λ／４波長層」は、入射する光をそれぞれの波長の１／４波長だけ位相遅延をさせることができる位相遅延素子を意味することができる。
【００３１】
しかし、フィルタの態様が上記例示されたことに限定されるものではない。例えば、フィルタのＲＣ及びＬＣ領域のうちいずれか一方は、３λ／４波長層を含み、他方の領域は、λ／４波長層を含む場合にも左円及び右円偏光された光を生成することができる。用語「３λ／４波長層」は、入射する光をそれぞれの波長の３／４波長だけ位相遅延をさせることができる位相遅延素子を意味することができる。このような素子は、例えば、入射する光をそれぞれの波長の１／２波長だけ位相遅延させることができる位相遅延素子であるλ／２波長層及びλ／４波長層を積層して製造することができる。
【００３２】
図６は、図４または図５の例示のＲＣ及びＬＣ領域の光軸方向を説明するための模式図である。図６の例示においてＬＣ領域に第１方向に形成された光軸は、Ａ１で表示され、ＲＣ領域に第２方向に形成された光軸は、Ａ２で表示されている。
【００３３】
ＲＣ及びＬＣ領域の光軸Ａ１、Ａ２は、上記光軸Ａ１、Ａ２が成す角度を二等分する線が上記第１偏光板の吸収軸と平行または垂直を成すように形成されていてもよい。このような光軸配置を通じて、表示素子で生成されて偏光板を透過した信号が正確に左円偏光及び右円偏光に変換されることができる。これにより、優れた立体映像品質を具現し、また、立体映像観察時に問題になるいわゆるクロストーク現象を防止することができる。用語「光軸が成す角度を二等分する線」は、図６を参照すれば、「θ１＋θ２」または「３６０−（θ１＋θ２）」の角度を二等分する線を意味することができる。例えば、θ１及びθ２が同一の角度である場合、二等分線は、ＲＣ及びＬＣ領域の境界線Ｌと平行な方向に形成されることができる。
【００３４】
ＲＣ及びＬＣ領域の光軸Ａ１、Ａ２は、また、互いに垂直を成してあり得る。このような状態は、例えば、図６で「θ１＋θ２」または「３６０−（θ１＋θ２）」の角度が実質的に９０℃である場合を意味することができる。このような光軸配置を通じて、視野角及びコントラスト比などの立体映像品質を優秀に具現し、また、クロストーク現象を防止することができる。
【００３５】
例示的なフィルタは、基材をさらに含み、上記λ／４波長層のような位相差層が上記基材上に形成されていてもよい。この場合、上記λ／４波長層が表示素子側に配置され、基材は、観察者側に配置されていてもよい。基材としては、例えば、この分野の通常的なガラス基材またはプラスチック 基材を使用することができる。
【００３６】
上記でプラスチック基材としては、ＴＡＣ（ｔｒｉａｃｅｔｙｌ  ｃｅｌｌｕｌｏｓｅ）またはＤＡＣ（ｄｉａｃｅｔｙｌ  ｃｅｌｌｕｌｏｓｅ）のようなセルロース基材、ノルボルネン誘導体などのような環状オレフィンポリマー（ＣＯＰ；ｃｙｃｌｏ  ｏｌｅｆｉｎ  ｐｏｌｙｍｅｒ）基材、ＰＭＭＡ（ｐｏｌｙｍｅｔｈｙｌ  ｍｅｔｈａｃｒｙｌａｔｅ）などのようなアクリル基材、ポリカーボネート（ＰＣ、ｐｏｌｙｃａｒｂｏｎａｔｅ）基材、ＰＥ（ｐｏｌｙｅｔｈｙｌｅｎｅ）またはＰＰ（ｐｏｌｙｐｒｏｐｙｌｅｎｅ）などのようなポリオレフィン基材、ポリビニルアルコール（ＰＶＡ、ｐｏｌｙｖｉｎｙｌａｌｃｏｈｏｌ）基材、ポリエーテルスルホン（ＰＥＳ、ｐｏｌｙｅｔｈｅｒｓｕｌｆｏｎｅ）基材、ポリエーテルエーテルケトン（ＰＥＥＫ、ｐｏｌｙｅｔｈｅｒｅｔｈｅｒｋｅｔｏｎ）基材、ポリエーテルイミド（ＰＥＩ、ｐｏｌｙｅｔｈｅｒｉｍｉｄｅ）基材、ポリエチレンナフタレート（ＰＥＮ、ｐｏｌｙｅｔｈｙｌｅｎｅｎａｐｈｔｈａｔｌａｔｅ）基材、ＰＥＴ（ｐｏｌｙｅｔｈｙｌｅｎｅｔｅｒｅｐｈｔａｌａｔｅ）などのようなポリエステル基材、ポリイミド（ＰＩ、ｐｏｌｙｉｍｉｄｅ）基材、ポリスルホン（ＰＳＦ、ｐｏｌｙｓｕｌｆｏｎｅ）基材、または非晶質フッ素樹脂などのようなフッ素ポリマー基材などが例示されることができる。１つの例示においては、ＴＡＣ基材などのようなセルロース基材が使用されることができる。
【００３７】
基材は、単一層構造または多層構造であることができるが、さらに薄い厚さの素子を提供する側面で単一層構造であることが好ましい。
【００３８】
基材の厚さは、特に限定されず、目的する用途によって適切に調節されることができる。
１つの例示において、基材上に形成されていてもよいλ／波長層のような位相差層は、基材上に形成された配向層と上記配向層上に形成されている液晶層とを含むことができる。上記液晶層は、例えば、領域別に異なる方向に光軸が形成されているλ／４波長層であることができ、液晶層下部の配向層は、上記波長層の光軸を制御する役目をする層であることができる。配向層としては、この分野で公知されている通常的な配向層を使用することができる。配向層としては、直線偏光された光の照射によって誘導される異性化（ｃｉｓ−ｔｒａｎｓ  ｉｓｏｍｅｒｉｚａｔｉｏｎ）、フリース再配列（ｆｒｉｅｓ  ｒｅａｒｒａｎｇｅｍｅｎｔ）または二量化（ｄｉｍｅｒｉｚａｔｉｏｎ）反応により配向が決定され、決定された配向により隣接する液晶層に配向を誘導することができる光配向層、ラビング処理されたポリイミド層のような高分子層または複数の溝領域がパターニングされて形成されているアクリル硬化型樹脂層などが例示されることができる。
【００３９】
液晶層としては、この分野に公知されているものであって、光架橋性または光重合性液晶化合物の光架橋層または光重合層であることができる。この分野では、上記特性を示す多様な液晶化合物が公知されており、その例としては、マーク（Ｍｅｒｋ）社のＲＭ（Ｒｅａｃｔｉｖｅ  Ｍｅｓｏｇｅｎ）またはＢＡＳＦ社のＬＣ２４２などを挙げることができる。
【００４０】
フィルタを製造する方式は、特に限定されない。この分野では、フィルタの製造方法が多様に公知されており、上記の偏光板の吸収軸とフィルタの光軸の関係などを考慮して、上記のような公知の方式がすべて適用されることができる。
【００４１】
フィルタを通して排出される互いに異なる偏光状態を有するＲ及びＬ信号を、メガネを着用して観察すれば、立体映像を観察することができる。
【００４２】
上記メガネは、左眼用領域（以下、「ＧＬ領域」という）及び右眼用領域（以下、「ＧＲ領域」という）を有し、上記ＧＬ及びＧＲ領域がそれぞれ位相差層と偏光子を含むことができる。
【００４３】
図７は、上記メガネ７０を例示的に示す図である。図７のように、メガネ７０は、位相差層７０１Ｌと偏光子７０２Ｌを含むＧＬ領域と、位相差層７０１Ｒと偏光子７０２Ｒを含むＧＲ領域とを含むことができる。図７で、矢印は、立体映像表示装置で出射されるＲまたはＬ信号の進行方向を意味する。
【００４４】
メガネに含まれる偏光子は、立体映像表示装置に含まれる偏光板のように、所定方向に形成された吸収軸と上記吸収軸の方向とは垂直する方向に透過軸とを有する光学素子であることができる。
【００４５】
１つの例示的な上記メガネでは、ＧＲ領域に含まれる偏光子の吸収軸とＧＬ領域に含まれる偏光子の吸収軸が互いに並行になるように上記偏光子が各領域に配置されていてもよい。また、上記互いに平行に形成されている各偏光子の吸収軸は、上記ＧＬ領域の中心とＧＲ領域の中心を連結する仮想の線を上記立体映像表示装置のＲＣ領域とＬＣ領域の境界線と垂直または水平を成すように上記メガネを位置させた状態で上記第１偏光板の吸収軸と垂直を成すように配置されることが好ましい。このような状態で高品質の立体映像の観察が可能である。
【００４６】
本明細書においてメガネのＧＬ及びＧＲ領域の中心を連結する仮想の線は、例えば、図８に示されたように、ＧＲ及びＧＬ領域ＧＲ、ＧＬの中心Ｃを連結する仮想の線ＣＬを意味し、上記で領域の中心は、重さ中心（ｃｅｎｔｅｒ  ｏｆ  ｇｒａｖｉｔｙ）を意味することができる。
【００４７】
上記のようなメガネを着用して立体映像を観察することができる上記立体映像表示装置は、下記一般式１または２の条件を満たすことができる。
【００４８】
［一般式１］
ＤＬ＝｜θ２−θＬ｜≦１５．０
【００４９】
［一般式２］
ＤＲ＝｜θ１−θＲ｜≦１５．０
【００５０】
上記一般式１及び２でＤＬは、ＬＣ領域の位相差層の光軸がＧＬ領域の位相差層の光軸から離脱される程度であり、θ２は、ＬＣ領域の位相差層の光軸が第１偏光板の吸収軸と成す角度であり、θＬは、メガネのＧＬ領域の偏光子の吸収軸を第１偏光板の吸収軸と垂直になるように配置した状態でＧＬ領域の位相差層の光軸と第１偏光板の吸収軸が成す角度であり、ＤＲは、ＲＣ領域の位相差層の光軸がＧＲ領域の位相差層の光軸から離脱される程度であり、θ１は、ＲＣ領域の位相差層の光軸が第１偏光板の吸収軸と成す角度であり、θＲは、メガネのＧＲ領域の偏光子の吸収軸を第１偏光板の吸収軸と垂直になるように配置した状態でＧＲ領域の位相差層の光軸と第１偏光板の吸収軸が成す角度である。
【００５１】
上記一般式１及び２で、θ１、θ２、θＲ及びθＬの各角度は、第１偏光板の吸収軸から時計方向または反時計方向に測定された角度であることができるが、同一の式に代入される各角度は、同一の方向に測定された角度である。
【００５２】
図９は、一般式１のＤＬの角度関係を模式的に示す図であり、第１偏光板の吸収軸ＡＤとＧＬ領域の偏光子の吸収軸ＡＧを垂直で配置した状態で第１偏光板の吸収軸ＡＤから時計方向に測定したＬＣ領域の位相差層の光軸ＳＦの角度がθ２で表示され、上記吸収軸ＡＤから時計方向に測定したＧＬ領域の位相差層の光軸ＳＧの角度がθＬで表示されている。また、図１０は、一般式２のＤＲの角度関係を模式的に示す図であり、第１偏光板の吸収軸ＡＤとＧＲ領域の偏光子の吸収軸ＡＧを垂直で配置した状態で第１偏光板の吸収軸ＡＤから反時計方向に測定したＲＣ領域の位相差層の光軸ＳＦの角度がθ１で表示され、上記吸収軸ＡＤから反時計方向に測定したＧＲ領域の位相差層の光軸ＳＧの角度がθＲで表示されている。
【００５３】
上記一般式１でＤＬは、例えば、１４以下、１３以下、１２以下、１１以下、１０以下、９以下、８以下、７以下、６以下または５以下であることができる。また、１つの例示においてＤＬは、０ではなくてもよい。また、上記一般式２でＤＲは、例えば、１４以下、１３以下、１２以下、１１以下、１０以下、９以下、８以下、７以下、６以下または５以下であることができる。また、１つの例示においてＤＲは０ではなくてもよい。
【００５４】
上記立体映像表示装置またはメガネは、上記一般式１または２を満たし、他の例示においては、一般式１及び２を同時に満たすことができる。
【００５５】
他の例示において上記立体映像表示装置またはメガネは、下記一般式３または４の条件を満たすことができる。
【００５６】
［一般式３］
ＤＬ−１０≦−０．０１９９ｘ２＋４．９７７７ｘ−３０６．５６≦ＤＬ＋１０
【００５７】
［一般式４］
ＤＲ−１０≦−０．０１９９ｙ２＋４．９７７７ｙ−３０６．５６≦ＤＲ＋１０
【００５８】
上記一般式３及び４でＤＬ及びＤＲは、それぞれ一般式１及び２で定義した通りであり、ｘは、ＬＣ領域またはＧＬ領域の位相差層の位相差値であり、ｙは、ＲＣ領域またはＧＲ領域の位相差層の位相差値である。
【００５９】
上記のような一般式３及び４を満たす立体映像表示装置またはメガネは、例えば、上記記述した光軸離脱角と位相差値を満たすように装置とメガネを構成することによって得ることができる。
【００６０】
上記一般式３及び４で位相差値は、例えば、下記数式１で計算される位相差層の面方向の位相差であるか、下記数式３で計算される位相差層の厚さ方向位相差であることができ、他の例示においては、下記数式４で計算される面方向の位相差であることができる。
【００６１】
［数式３］
Ｒｉｎ＝Ｘ−Ｙ×Ｄ
【００６２】
［数式４］
Ｒｔｈ＝Ｚ−Ｙ×Ｄ
【００６３】
上記数式３及び４でＲｉｎは、位相差層の面方向の位相差であり、Ｒｔｈは、位相差層の厚さ方向の位相差であり、Ｘは、上記位相差層の面内における遅相軸方向の屈折率であり、Ｙは、上記位相差層の面内における進相軸方向の屈折率であり、Ｚは、上記位相差層の厚さ方向の屈折率であり、Ｄは、上記位相差層の厚さである。
【００６４】
上記で各屈折率は、例えば、約５５０ｎｍまたは約５８９ｎｍの波長の光に対して測定された屈折率であることができる。
【００６５】
上記一般式３でｘは、ＬＣまたはＧＬ領域の位相差層の位相差値であり、例えば、ＬＣ領域の位相差層の位相差値であることができる。
【００６６】
また、一般式４でｙは、ＲＣ領域またはＧＲ領域の位相差層の位相差値であり、例えば、ＲＣ領域の位相差層の位相差値であることができる。
【００６７】
上記一般式３で数式「ａｘ２＋ｂｘ＋ｃ」の下限は、例えば、ＤＬ−９、ＤＬ−８、ＤＬ−７、ＤＬ−６、ＤＬ−５、ＤＬ−４、ＤＬ−３、ＤＬ−２またはＤＬ−１であることができる。また、上記数式「ａｘ２＋ｂｘ＋ｃ」の上限は、例えば、ＤＬ＋９、ＤＬ＋８、ＤＬ＋７、ＤＬ＋６、ＤＬ＋５、ＤＬ＋４、ＤＬ＋３、ＤＬ＋２またはＤＬ＋１であることができる。
【００６８】
また、上記一般式４で数式「ａｙ２＋ｂｙ＋ｃ」の下限は、例えば、ＤＲ−９、ＤＲ−８、ＤＲ−７、ＤＲ−６、ＤＲ−５、ＤＲ−４、ＤＲ−３、ＤＲ−２またはＤＲ−１であることができる。また、上記数式「ａｙ２＋ｂｙ＋ｃ」の上限は、例えば、ＤＲ＋９、ＤＲ＋８、ＤＲ＋７、ＤＲ＋６、ＤＲ＋５、ＤＲ＋４、ＤＲ＋３、ＤＲ＋２またはＤＲ＋１であることができる。
【００６９】
また、一般式１及び２の場合のように、１つの例示において上記一般式３でＤＬは０ではなく、上記一般式４でＤＲは０ではなくてもよい。
【００７０】
上記立体映像表示装置またはメガネは、上記一般式３または４を満たし、他の例示においては、一般式３及び４を同時に満たすことができる。
【００７１】
上記のように、一般式１及び／または２、及び／または一般式３及び／または４を満たす立体映像表示装置においてＲＣ及びＬＣ領域に存在する位相差層は、例えば、位相差値がそれぞれ１００ｎｍ〜２００ｎｍの範囲にあり得る。上記位相差値は、上記数式１で測定される面方向の位相差値であるか、上記数式２で計算される厚さ方向の位相差値であることができ、例えば、上記面方向の位相差値であることができる。
【００７２】
また、１つの例示において上記ＧＬ領域に存在する位相差層の位相差値は、上記ＬＣ領域に存在する位相差層の位相差値との偏差が±１５ｎｍ以内、±１２ｎｍ以内、±９ｎｍ以内、±７ｎｍ以内、±６ｎｍ以内、±５ｎｍ以内、±４ｎｍ以内または±３ｎｍ以内であることができる。  また、上記ＧＲ領域に存在する位相差層の位相差値は、上記ＲＣ領域に存在する位相差層の位相差値との偏差が±１５ｎｍ以内、±１２ｎｍ以内、±９ｎｍ以内、±７ｎｍ以内、±６ｎｍ以内、±５ｎｍ以内、±４ｎｍ以内または±３ｎｍ以内であることができる。
【００７３】
上記のようにメガネとフィルタに含まれる位相差層の特性を調節し、立体映像の観察時にＲ信号とＬ信号の光特性の差を最小化し、いわゆるクロストーク現象などの悪影響なしに高品質の立体映像を観察することができる。
【００７４】
本発明は、また、メガネ、例えば、立体映像を観察するためのメガネに関するものである。
例示的な上記メガネは、駆動状態でＬ及びＲ信号をそれぞれ生成することができるＬＳ及びＲＳ領域を含む表示素子と、上記表示素子で生成されたＬ及びＲ信号が入射され得るように配置された第１偏光板と、上記ＬＳ及びＲＳ領域で生成されたＬ及びＲ信号が上記第１偏光板を経てそれぞれ入射され得るように配置されており、位相差層をそれぞれ含むＬＣ及びＲＣ領域を含むフィルタと、を含む立体映像表示装置で出射される立体映像を観察するためのものであることができる。
【００７５】
上記メガネは、ＧＬ及びＧＲ領域を有し、上記ＧＬ及びＧＲ領域がそれぞれ位相差層及び偏光子を含むことができる。
【００７６】
上記メガネにおいてＧＬ領域は、上記立体映像表示装置で出射されるＬ信号が入射される領域であり、ＧＲ領域は、上記装置で出射されるＲ信号が入射される領域であることができる。
【００７７】
上記メガネは、前述した一般式１及び／または２を満たすものであるか、及び／または一般式３及び／または４を満たすものであることができる。
【００７８】
上記メガネに対する具体的な事項と上記立体映像を出射する立体映像表示装置に対する具体的な事項は、上記立体映像表示装置で記述した項目が同一に適用されることができる。
【発明の効果】
【００７９】
上記立体映像表示装置またはメガネによれば、立体映像の観察時にＲ信号とＬ信号の光特性の差を最小化し、いわゆるクロストーク現象などの悪影響なしに高品質の立体映像を観察することができる。
【図面の簡単な説明】
【００８０】
【図１】例示的な立体映像表示装置を示す図である。
【図２】ＬＳ領域とＲＳ領域の例示的な配置を示す模式図である。
【図３】ＬＳ領域とＲＳ領域の例示的な配置を示す模式図である。
【図４】ＬＣ領域とＲＣ領域の例示的な配置を示す模式図である。
【図５】ＬＣ領域とＲＣ領域の例示的な配置を示す模式図である。
【図６】ＬＣ及びＲＣ領域の位相差層の光軸の関係を説明するための模式図である。
【図７】立体映像観察用メガネの概略的な形態を示す図である。
【図８】立体映像観察用メガネの概略的な形態を示す図である。
【図９】ＤＲ及びＤＬを説明するための図である。
【図１０】ＤＲ及びＤＬを説明するための図である。
【図１１】実施例で確認された立体映像の観察時にクロストーク比率１％以下の特性を確保するための光軸離脱角と位相差値の関係を示す図である。
【発明を実施するための最良の形態】
【００８１】
以下、実施例及び比較例を通じて上記立体映像表示装置及びメガネをさらに詳しく説明するが、上記液晶フィルムの範囲がこれに限定されるものではない。
【００８２】
以下、本実施例において各物性は、下記のような方式で評価することができる。
【００８３】
１．位相差層の位相差値
位相差層の位相差値は、５５０ｎｍまたは５８９ｎｍの波長の光を使用して測定することができる。１６個のミュラーマトリクス（Ｍｕｌｌｅｒ  Ｍａｔｒｉｘ）を測定することができる装備であるＡｘｏｓｃａｎ（Ａｘｏｍａｔｒｉｃｓ社製）を使用して、製造社のマニュアルによって位相差フィルムの１６個のミュラーマトリクスを測定し、これを通じて位相差を抽出することができる。
【００８４】
２．クロストーク率の評価方法
立体映像装置のクロストーク率は、暗状態（Ｄａｒｋ  ｓｔａｔｅ）と明状態（Ｂｒｉｇｈｔ  ｓｔａｔ）での輝度の比率として定義されることができ、実施例で使用した立体映像表示装置のクロストーク率は、例えば、下記のような方式で測定することができる。まず、立体映像表示装置の通常の観測地点に立体映像観察用メガネを位置させる。上記で通常の観測地点は、立体映像表示装置の中心から上記立体映像表示装置の水平方向の長さの３／２倍に相当する距離だけ離れた地点であり、このような位置でメガネは、観察者が表示装置の中心に向けて観察することを仮定して、位置させる。上記立体映像表示装置の水平方向の長さは、観察者が立体映像を観察する状態を仮定するとき、上記観察者を基準とする水平方向の長さ、例えば、映像表示装置の横の長さであることができる。上記配置で立体映像表示装置がＬ信号を出力するようにした状態でメガネのＧＬ及びＧＲ領域の背面に輝度計（装備名：ＳＲ−ＵＬ２  Ｓｐｅｃｔｒｏｍｅｔｅｒ）を配置し、それぞれの場合の輝度を測定する。上記でＧＬ領域の背面で測定される輝度は、明状態の輝度であり、ＧＲ領域の背面で測定される輝度は、暗状態の輝度である。各輝度を測定した後、明状態の輝度に対する暗状態の輝度の比率（［暗状態の輝度］／［明状態の輝度］）を求め、その百分率をクロストーク率として規定することができる。また、クロストーク率は、上記と同一の方式で測定するが、装置がＲ信号を出力している状態で明及び暗状態での輝度を求めて測定することができる。この場合、ＧＬ領域の背面で測定される輝度は、暗状態の輝度であり、ＧＲ領域の背面で測定される輝度は、明状態の輝度である。同様に、その比率（［暗状態の輝度／明状態の輝度］）の百分率をクロストーク率として規定することができる。
【００８５】
実施例１
図１に示されたような構造を有し、且つ、表示素子１０３のＲＳ及びＬＳ領域は、図２のように配置され、フィルタ１０５には、ＲＣ領域とＬＣ領域は、図４のような形態に配置された装置１０を構成した。上記装置１０においてフィルタのＲＣ領域には、第１偏光板１０４の吸収軸と反時計方向に４５度を成す方向に遅相軸が形成された位相差層が位置し、ＬＣ領域には第１偏光板１０４の吸収軸と時計方向に４５度を成す方向に遅相軸が形成された位相差層が形成された装置１０を構成した。上記装置１０において第１偏光板１０４の吸収軸は、装置１０の縦方向と水平を成すようにし、第２偏光板１０２の吸収軸は、第１偏光板１０４の吸収軸と垂直を成すようにした。図７のように、ＧＬ及びＧＲ領域を含み、且つ、各位相差層７０１Ｌ、７０１Ｒに面方向の位相差値Ｒｉｎが１２５ｎｍの位相差層を含むメガネを使用して上記装置１０から出射される映像を観察する場合のクロストーク率を求めた。上記メガネ７０において偏光子７０２Ｌ、７０２Ｒに形成されている各吸収軸は、互いに同一の方向に形成されており、図８に示された仮想の線ＣＬを上記装置１０のＬＣ及びＲＣ領域の境界と垂直を成すようにしたとき、上記偏光子７０２Ｌ、７０２Ｒの吸収軸の方向は、上記第１偏光板１０４の吸収軸と垂直を成した。上記状態でメガネのＧＲまたはＧＬ領域の位相差層７０１Ｌ、７０１Ｒの光軸及びＲＣまたはＬＣ領域の位相差値Ｒｉｎを多様に変更させながらクロストーク率を評価した。測定結果、ＧＲ領域の位相差層７０１Ｒの光軸及びＲＣ領域の位相差値Ｒｉｎを変更させながら測定したクロストーク率とＧＬ領域の位相差層７０１Ｌの光軸及びＬＣ領域の位相差値Ｒｉｎを変更させながら測定したクロストーク率は、互いに同一の傾向を示したが、下記表１には、クロストーク率が１％として測定されるＤＬの数値及びＬＣ領域の位相差値のセットを整理して記載し、これを図１１にグラフで示した。
【００８６】
図１１でＹ軸は、光軸の相対的離脱程度の数値（単位：度）を示し、Ｘ軸は、位相差値（単位：ｎｍ）を示す。
【００８７】
【表１】
2014509402.tif 000003
【００８８】
実施例２
実施例１と同様に、装置１０及びメガネ７０を構成し、且つ、第１偏光板１０４の吸収軸が装置１０の横方向と水平を成すようにし、ＲＣ領域には、第１偏光板１０４の吸収軸と時計方向に４５度を成す方向に遅相軸が形成された位相差層が位置し、ＬＣ領域には、第１偏光板１０４の吸収軸と反時計方向に４５度を成す方向に遅相軸が形成された位相差層が形成された装置１０を使用して同一の方式でクロストーク率を測定した。測定結果、実施例１と同様に、ＬＣまたはＲＣ領域の位相差層の位相差値ＲｉｎがＤＬまたはＤＲが約５（度）以下の範囲で１％またはそれ未満のクロストーク率が測定された。
【００８９】
実施例３
実施例１と同様に、装置１０及びメガネ７０を構成し、且つ、第１偏光板１０４の吸収軸が装置１０の縦方向を基準で反時計方向に４５度に形成されるようにし、ＲＣ領域には、第１偏光板１０４の吸収軸と反時計方向に４５度を成す方向に遅相軸が形成された位相差層が位置し、ＬＣ領域には、第１偏光板１０４の吸収軸と時計方向に４５度を成す方向に遅相軸が形成された位相差層が形成された装置１０を使用して同一の方式でクロストーク率を測定した。測定結果、実施例１と同様に、ＬＣまたはＲＣ領域の位相差層の位相差値ＲｉｎがＤＬまたはＤＲが約５（度）以下の範囲で１％またはそれ未満のクロストーク率が測定された。
【００９０】
実施例４
実施例１と同様に、装置１０及びメガネ７０を構成し、且つ、第１偏光板１０４の吸収軸が装置１０の縦方向を基準で時計方向に４５度に形成されるようにし、ＲＣ領域には、第１偏光板１０４の吸収軸と反時計方向に４５度を成す方向に遅相軸が形成された位相差層が位置し、ＬＣ領域には、第１偏光板１０４の吸収軸と時計方向に４５度を成す方向に遅相軸が形成された位相差層が形成された装置１０を使用して同一の方式でクロストーク率を測定した。測定結果、実施例１と同様に、ＬＣまたはＲＣ領域の位相差層の位相差値ＲｉｎがＤＬまたはＤＲが約５（度）以下の範囲で１％またはそれ未満のクロストーク率が測定された。
【符号の説明】
【００９１】
１０  立体映像表示装置
１０１  光源
１０２  第２偏光板
１０３  表示素子
１０４  第１偏光板
１０５  フィルタ
１０６  観察者
７０  メガネ
７０１Ｌ、７０１Ｒ  位相差層
７０２Ｌ、７０２Ｒ  偏光子
【図１】
2014509402.tif 000004
【図２】
2014509402.tif 000005
【図３】
2014509402.tif 000006
【図４】
2014509402.tif 000007
【図５】
2014509402.tif 000008
【図６】
2014509402.tif 000009
【図７】
2014509402.tif 000010
【図８】
2014509402.tif 000011
【図９】
2014509402.tif 000012
【図１０】
2014509402.tif 000013
【図１１】
2014509402.tif 000014
【国際調査報告】
2014509402.tif 000015
2014509402.tif 000016
2014509402.tif 000017
2014509402.tif 000018